【手続補正書】
【提出日】平成25年4月2日(2013.4.2)
【手続補正１】
【補正対象書類名】明細書
【補正対象項目名】全文
【補正方法】変更
【補正の内容】
【発明の詳細な説明】
【発明の名称】両方向履き履物
【技術分野】
【０００１】
履物の技術分野に属する。          
【背景技術】
【０００２】
一般的な履物は、足を挿入する挿入方向が固定されているため、脱いだ後再び着用する際は履物の挿入方向に足の向きを合わせるか、または足の向きに合わせて履物の方向を変える必要があった。そこで考えられたのが前後両方向から履くことのできる履物である。特に大勢の人が利用する宴会場や洗面所などで履物の方向を変える手間が省けるなど便利なため、既に多くの提案がなされている。
【０００３】
その一つは底体部の前後端に足掛け用甲被部を設けた履物で、例えば特許文献１などである。該履物を履くときには必ず一方の甲被部を踏みつけて履くことになり、甲被部の汚れによる清潔感や甲被部の復元性の問題、及び履き心地に問題があった。
【０００４】
一方底体部中央に甲被部を設けた履物、例えば特許文献２、特許文献３などがあるが、甲被部が底体部に固定されているため足を挿入した際、甲被部は足の甲の高い部分にのみ接触し、足のつま先部分に甲被部が接触しないため不安定な状態となり、安定した履き心地が得られないと共に、底体部の長さを長くしなければならないなどの欠点がある。
【０００５】
また中央に配置された甲被部を回転動作させる履物、例えば特許文献４では前記と同様に甲被部の全体を足先から甲にかけての傾斜、形状に合致させることができず、安定した履き心地が得られていないと共に、足先の入り方が少なくなるので底体部の長さを長くしなければならないなどの欠点がある。
【０００６】
この様に通常の履物と同様の履き心地が得られ、なお且つ清潔を保てる両方向履き履物は現状では得られていない。
【先行技術文献】
【特許文献】
【０００７】
【特許文献１】実公3031259  前後から履ける履物
【特許文献２】実開平4-54202  履物
【特許文献３】特開平8-308601  双方向履物
【特許文献４】特開2000-225001  甲部移動型双方向履きスリッパ
【発明の概要】
【発明が解決しようとする課題】
【０００８】
前後両方向から履いても通常の履物と同様の履き心地が得られる
清潔で便利な履物を提供することである。
【課題を解決するための手段】
【０００９】
前記課題を解決するために、前後の形状に対称性を持たせた底体部と、底体部の前後方向中央に設けた甲被部を、履く方向にスライド移動できる構造とし、挿入した足先で甲被部を前に移動させた時に、足先から甲にかけての傾斜、形状に甲被部が合致できるように、甲被部の前から後にかけての傾斜角度を変化させる構造を発明した。
【００１０】
すなわち底体部の左右両サイドにスライドレールを設け、これに沿って甲被部を前後に移動させることにより、甲被部の前と後の高さを変化させて傾斜を持たせ、足先から甲にかけての傾斜、形状に合わせる構造にすることで解決できる。また甲被部を常にスライドレールの中心位置に戻るような復元機構を設けることにより、何時でもどちらの方向からでも履ける履物とすることができる。
【００１１】
またスライドレールと甲被部の結合方法を着脱可能方式とすることにより、使用者の要求に合わせた甲被部を使用することができ、さらにフィット感が向上できる。また甲被部の交換が簡単にできるため、常に清潔な甲被部付きの履物とすることができる。
【発明の効果】
【００１２】
甲被部を前後に移動させることにより、履物の大きさを変えることなく、通常の履物と同様な履き心地、すなわち足先から甲にかけての傾斜、形状に甲被部を合致させられる両方向履き履物を提供できる。また甲被部を自由に交換できる構造とすることにより、さらに履き心地が良く清潔な履物を提供できる。
【図面の簡単な説明】
【００１３】
【図１】本発明第１形態の基本構造例の斜視図
【図２】本発明第１形態の実施例の平面図、側面図及び正面図
【図３】本発明第２形態の実施例の平面図と側面図
【図４】本発明第２形態の別の実施例の中心部の断面図
【図５】本発明第３形態の実施例の平面図と側面図
【図６】スライドレールの各種形状例
【図７】ランナーユニット例の斜視図
【発明を実施するための形態】
【００１４】
実施するための第１の形態は図１、図２に示す通り、底体部１の左右両サイドに平行した円弧状スライドレール３、３′を設け、中心部を最も高く、前後方向に向かって低くしておき、甲被部２を橋渡し状に左右のスライドレール３、３′に結合させる。甲被部２は足を挿入することにより足先と共に挿入方向のレール支持部先端の位置まで移動する。甲被部２の先端部の高さは低く、後端部は高くなるため甲被部の傾斜、形状を足先から甲にかけての傾斜、形状に合わせることができる。またスプリング４などを用いた復元機構を設けることにより、脱いだ時の甲被部２は元の中心位置に戻り、次にどちらの方向からも履くことができる。
【００１５】
第２の形態は図３、図４に示す通り、底体部１の表面上部や、表面内部または側面の左右両サイドに、円弧状のスライドレール３、３′を同一水平面上に設け、左右スライドレール３、３′の間隔が中心部で最も近く、前後方向に向かって広くなるようにし、半円筒状の甲被部２を左右のスライドレール３、３′に結合させる。甲被部２は足先を挿入することにより挿入方向のレール支持部先端の位置まで移動する。甲被部２の先端部は移動に伴って左右に広がり、後端部は逆に狭くなるため、甲被部２の先端部では高さが低く、後端部では高さが高くなり、甲被部の傾斜、形状を足先から甲にかけての傾斜、形状に合わせることができる。この場合もスプリング４などを用いた復元装置を設けることにより、脱いだ時の甲被部２は元の中心位置に戻り、次にどちらの方向からも履くことができる。
【００１６】
第３の形態は第１の形態と第２の形態の特長を併せ持つもので図５に例を示す。底体部１の左右両サイドに内側に傾斜した円弧状のスライドレール３、３′を設けるもので、甲被部２が前後に移動した時、移動場所により甲被部２の高さと幅の両方が同時に変化できる形態である。該スライドレール３、３′および甲被部２の形状と寸法の組合せにより、甲被部の傾斜、形状を足先から甲にかけてのいかなる傾斜、形状にも対応できる両方向履き履物を提供できる。
【００１７】
両方向履き履物は素足で履く以外に、運動靴、外出靴など靴のまま履く履物としての利用も多く考えられるので、底体部1と甲被部２の間隔を拡大又は縮小可能な機能を持たせることも重要である。この方法として、スペーサーを使用する方法、スライドレールの長さを調整する方法などがある。
【実施例１】
【００１８】
本発明の第１の形態の実施例を図２に示す。履物の底に当たる底体部１の前部及び後部の形状を対称形とし、円弧状のスライドレール３、３´をレール支持部７ａ、７ａ´、７ｂ、７ｂ´を介して底体部１の左右両サイドに設ける。甲被部２は両スライドレール３、３′に跨る形でランナー６、６´を介して夫々スライドレール３、３′に結合させてある。この甲被部２は可撓性のある材料、例えば布、皮、プラスチックなどを用い、網目状のものでも良い。そしてランナー６、６´の中心部と、底体部１の左右側面の中心部間を夫々伸縮可能なスプリング材４、４´で結んである。スプリング材４、４´はゴム紐、金属のコイルバネまたは巻き込み形のリールなどを用いる。このスプリングの強さが強すぎると履きにくくなるので、ランナー６、６´のスライド抵抗を少なくし、引き戻しが楽にできる最小限の強さにしておく。
【００１９】
足先を挿入した場合甲被部２の後端部がまず足の甲に当たり、足先と共に甲被部２がスライドレール３、３′に沿って前方に移動し、甲被部２の先端部の高さが低くなってレール支持部先端の位置で甲被部と共に足先が止まる。この時甲被部２の後端部はスライドレール３、３′の高い位置にあり、甲被部２は前方から後方に掛けて傾斜が生じて、足先から足の甲にかけての傾斜に合わせることができる。これにより甲被部２が足先全体に均等に接することとなり、通常の履物と同様な履き心地を得ることができる。脱いだときは甲被部２の左右に設けたスプリング材４、４´により、前方に移動した甲被部２はスライドレールの中心部に引き戻されて、前後どちらの方向からも履ける状態になる。
【００２０】
スライドレール３、３´は金属またはプラスチックなどの復元性を持つ可撓性線材を通常使用する。またレール支持部も同様に復元性のある可撓性材料を使用することにより、誤って足で踏みつけても破損や怪我等を防止できる。
【００２１】
甲被部とランナーは一体成型することにより安価に提供することができる。しかし甲被部の材質やデザインなどを考えるとランナーと甲被部を別々に製造し、使用時に結合させることもできる。この方法によると甲被部の形状、材質、デザインなど自由に選択することができ、使用者に最もフィットした履き心地の良い履物を提供できる。また汚れた時には何時でも交換できるため、甲被部を常に清潔に保つことができる。
【００２２】
図７はランナーをユニット化した場合の1例として、面ファスナーによる甲被部取付け方法の例を示す。甲被部の取付け方法にはフック、ボタン、スナップ、ジッパー、面ファスナーなど色々選択することができ、甲被部の材質、形状等により適宜に選ぶと良い。
【００２３】
移動した甲被部２をスライドレールの中心に引き戻すための復元装置としては、図２の例では左右のランナー中心部をスプリング材で中心に引き寄せる方法である。これにはスプリング材を直接用いる方法と、自動巻き取り式リールを用いる方法などがあり、ランナー及びスライドレールの種類、形状、取付方法などにより最適な方法及び構造をとる必要がある。
【００２４】
しかし甲被部の先端は、足先を挿入することによりレール支持部の位置まで移動して止まるが、ランナーの滑り抵抗が少ないと足を引き抜く時に甲被部が足先と共に元の位置近くまで移動することが多い。またレール支持部の高さによっては、甲被部がそのまま残っていても、反対側から足先を差し込むことが可能であるので、状況により復元装置を省くことができる。
【００２５】
スペーサーは底体部１と甲被部２の間隔を拡大、縮小する調整部品として使用している。通常はスペーサーを着けた状態にして置き、素足以外の運動靴などに使用するときは、スペーサーを取り外して底体部１と甲被部２の間隔を拡大させる。スペーサーの厚さにより間隔を調整することができるので色々な履物用にも対応できる。特に体育館などで上履きを履いたままトイレなどを利用する場合などには非常に有効である。
【実施例２】
【００２６】
第２の形態の実施例を図３、図４に示す。図３は円弧状スライドレール３、３´を底体部１の表面上部の両サイドに水平に設けたものである。図４は底体部の表面内部に溝形のスライドレールを使用した例である。甲被部２は半円筒状の形状が保持できる可撓性の材料を使用し、スライドレールに結合してある。足先を挿入した場合甲被部２の後端部がまず足の甲に当たり、甲被部２がスライドレール３、３′に沿って前方に移動し、左右の間隔が広がることにより甲被部２の前端中央部の高さが低くなってレール支持部先端の位置で甲被部が足先と共に止まる。この時甲被部２の後端部は左右の間隔が狭くなって、中央部の高さが高くなり、甲被部２の中央部分は前方から後方に掛けて傾斜が生じることになり、足先から甲にかけての傾斜、形状に合わせることができる。これにより甲被部２が足先全体に均等に接することになり、通常の履物と同様な履き心地を得ることができる。脱いだときは甲被部２の左右に設けたスプリング材４１、４１´、４２、４２´により、前方に移動した甲被部２はスライドレールの中心部に引き戻されて、前後どちらの方向からも履ける状態になる。
【００２７】
この形態によるスライドレールは底体部表面上部に凸レールを設けるもの、また底体部両側面に溝又は凸レールを設けるもの、図４に示す底体部表面内部に溝を設けるものなどがある。そのスライドレールの断面形状例は、丸型、角型、凸形、凹型などがあり、図６に線状以外のスライドレール各種の形状例を示しておく。図６（ａ）は溝形、図６（ｂ）は突起形、図６（ｃ）はスリット形を示している。
【実施例３】
【００２８】
第３の形態の実施例を図５に示す。この場合のスライドレール
３、３′は図２のスライドレール３、３′を内側にハの字型に傾斜させた形のもので、前記２つの形態が持つ甲被部２の前後端の高さの変化及び幅の変化を同時に行わせる構造を持つ。すなわち甲被部２の高さをスライドレール３、３´の高さで直接変えることと、スライドレール３、３´の左右の間隔幅の変化により変えることを同時に行うことにより、さらに甲被部２の足先から甲に掛けての傾斜と形状とのフィット感を向上させることができる。
【産業上の利用可能性】
【００２９】
本発明に基づく履物は、通常の履物としての他、底体部及び甲被部のサイズを大きくすることなどにより、運動靴、革靴などの靴用の履物として利用できる。すなわち靴を履いたまま下足禁止の場所に入るとき、具体的には運動靴を履いたままトイレに行く時、外国人を室内に案内する時、救急時の救急隊員の入退室時、また引越しにおける荷物の出し入れの際の入退室時など、玄関や入口で履物の方向を気にせずに靴を履いたまま該履物を履いて何度でも入退室できる便利な履物としての利用価値が高い。
【符号の説明】
【００３０】
１            底体部
２            甲被部
３、３´      スライドレール
４、４´      スプリング
４１、４１´  スプリング
４２、４２´  スプリング
６、６´      ランナー
７ａ、７ａ´  レール支持部
７ｂ、７ｂ´  レール支持部
８            スペーサー



























【手続補正２】
【補正対象書類名】図面
【補正対象項目名】全図
【補正方法】変更
【補正の内容】
【図１】
2011229690.tif 000001
【図２】
2011229690.tif 000002
【図３】
2011229690.tif 000003
【図４】
2011229690.tif 000004
【図５】
2011229690.tif 000005
【図６】
2011229690.tif 000006
【図７】
2011229690.tif 000007